(57)【要約】【課題】タンクカバーと変速ガイドパネルとマフラーカバーとを有し、内部構造を覆って、安全性を向上することができる歩行型移動農機を提供する。【解決手段】相対向する前記タンクカバー２０の後端部２０ａと前記変速ガイドパネル２３の先端部２３ａは、それぞれ前記機体１２の上方及び後方から見て略々連続するように互に沿うように形成されている。また、互に対向する前記タンクカバー２０の側面の下端部２０ｂとマフラーカバー２５の上面２５ａは、側面視、互に沿うように形成すると共に、互に対向する前記変速ガイドパネル２３の側面先端部２３ｂと前記マフラ−カバー２５の後端部２５bも互に沿うように形成されている。エンジン１３、変速伝動部及びマフラー等の内部構造を確実に覆い、安全性を向上させることができる。【選択図】図１
2007125971.tif 000002
【特許請求の範囲】
【請求項１】
エンジンからの回転を変速伝動部を介して走行部及び耕耘部に伝達すると共に、機体から斜め後方に延びるハンドルを備えてなる、歩行型移動農機において、
前記エンジン上に配置された燃料タンクを覆うタンクカバーと、
前記変速伝動部を変速操作する変速レバーをガイドするガイド溝を有する変速ガイドパネルと、
前記エンジンから延びるマフラーを覆うマフラーカバーと、を備え、
前記タンクカバーと変速ガイドパネルとが、平面視及び機体後方からみて略々連続するように、対面する側の端部を互いに沿うように形成し、
前記タンクカバーと変速ガイドパネルとマフラーカバーとが、側面視、対面する側の端部を互に沿うように形成してなる、
ことを特徴とする歩行型移動農機。
【請求項２】
前記変速ガイドパネルの前記マフラーが位置する側の側部に、スリットを形成してなる、
請求項１記載の歩行型移動農機。
【発明の詳細な説明】
【技術分野】
【０００１】
本発明は、自力走行する機体をオペレータが歩行しながら操作するようにした歩行型移動農機に関する。
【背景技術】
【０００２】
エンジンの上部を覆うエンジンボンネットの後端下部に連続する状態で、左右一対の走行車輪及び耕耘ロータリーに動力を伝達する逆V字状のミッションケースの上端後方側を覆う後方下がりの傾斜姿勢でカバーが設けられると共に、このカバーの後端下縁には、耕耘ロータリーを覆うロータリカバーが近接配置されていて、エンジンボンネットとミッションケースのカバーとロータリカバーとが一体化するように統一形成された歩行型移動農機が知られている（例えば、特許文献１参照）。
【０００３】
側面視においてその中間部分で屈曲して、その後方部分が水平部となると共に、その前方部分が斜め前上方に延びる傾斜部となるように形成し、該傾斜部内側に引掛け部及び当接部を形成し、かつ屈曲中間部分に固定用穴を形成し、機体に固定された固定部材に前記引掛け部及び当接部を引掛け・挟持すると共に前記固定用穴にて固着手段を介して固定するようにした変速パネルを備えた歩行型移動農機が知られている（例えば、特許文献２参照）
【０００４】
変速伝動部を変速操作する変速レバーをガイドするガイド溝を有するガイド板（操作ガイド板）の上方を覆う変速ガイドパネル（合成樹脂製の化粧カバー）を有する歩行型移動農機が知られている（例えば、特許文献３参照）。
【０００５】
【特許文献１】意匠登録第１２３１４２５号公報
【特許文献２】特開平８−３２４２８１号公報（第３頁、図２）
【特許文献３】特開平８−１９７９７２号公報（第４ページ、図１）
【発明の開示】
【発明が解決しようとする課題】
【０００６】
前記特許文献１に示された歩行型移動農機においては、エンジンボンネットとミッションケースのカバーとロータリカバーとを一体化するように統一形成することが示されているが、エンジンから延びるマフラーをどのようにカバーするかは開示されておらず、安全面で不具合が生じる場合もある。
【０００７】
前記特許文献２に示された歩行型移動農機においては、図面上にタンクカバーと変速ガイドパネルとマフラーカバーとが開示されてる。しかし、それらタンクカバー、変速ガイドパネル、マフラーカバー等の形状によっては、安全面で不具合が生じる場合もある。
【０００８】
前記特許文献３に示された歩行型移動農機においては、変速ガイドパネルを設けることを開示しているに過ぎず、エンジン、変速伝動部及びマフラー等の内部構造の露出による安全面での不具合が生じる場合もある。
【０００９】
前記の事情に鑑み、本発明は、タンクカバーと変速ガイドパネルとマフラーカバーとを有し、対面する側の端部を互に沿うように形成し、エンジン、変速伝動部及びマフラー等の内部構造を覆って、安全性を向上することができる歩行型移動農機を提供することを目的とする。
【課題を解決するための手段】
【００１０】
前記目的を達成するため、請求項１に係る本発明は、エンジン（１３）からの回転を変速伝動部を介して走行部（１０）及び耕耘部（３０）に伝達すると共に、機体（１２）から斜め後方に延びるハンドル（１８）を備えてなる、歩行型移動農機（１）において、
前記エンジン（１３）上に配置された燃料タンク（１５）を覆うタンクカバー（２０）と、
前記変速伝動部を変速操作する変速レバー（１７）をガイドするガイド溝（２１）を有する変速ガイドパネル（２３）と、
前記エンジン（１３）から延びるマフラーを覆うマフラーカバー（２５）と、を備え、
前記タンクカバー（２０）と変速ガイドパネル（２３）とが、平面視及び機体（１２）後方からみて略々連続するように、対面する側の端部を互いに沿うように形成し、
前記タンクカバー（２０）と変速ガイドパネル（２３）とマフラーカバー（２５）とが、側面視、対面する側の端部を互に沿うように形成してなる、
ことを特徴とする歩行型移動農機にある。
【００１１】
請求項２に係る本発明は、前記変速ガイドパネル（２３）の前記マフラーが位置する側の側部に、スリット（２２）を形成してなる、
請求項１記載の歩行型移動農機にある。
【００１２】
なお、前記した括弧内の符号等は、図面を参照するためのものであって、本発明を何ら限定するものではない。
【発明の効果】
【００１３】
請求項１に係る本発明によると、タンクカバーと変速ガイドパネルとマフラーカバーとが、対面する側の端部を互に沿うように形成したので、各カバーが連続した一体感のある優れたデザインを得ることができると共に、エンジン、変速伝動部及びマフラー等の内部構造を覆って、安全性を向上することができる。
【００１４】
請求項２に係る本発明によると、変速ガイドパネルのマフラー側に側部にスリットを形成して、マフラー及び排気管からの熱気を逃がして、内部が過熱することを防止できる。
【発明を実施するための最良の形態】
【００１５】
以下、図面に基づき本発明の実施の形態を説明する。
【００１６】
図１及び図２は、本発明の実施の形態を示すもので、図１は、歩行型移動農機の側面図、図２は、歩行型移動農機を斜め後方から見た斜視図である。
【００１７】
図１及び図２は、歩行型移動農機の一例としての耕耘機を示すもので、同図において、耕耘機１は、走行部１０と耕耘部３０とが一体に構成されている。前記走行部１０は、一対の走行車輪１１に支持された機体１２上に、エンジン１３及び変速伝動部（図示せず）が配置され、前記エンジン１３上に燃料タンク１５が支持されている。また、前記機体１２の後部には、前記変速伝動部を変速操作する変速レバー１７と、前記機体１２の走行方向を操作するハンドル１８が配置されている。
【００１８】
前記耕耘部３０は、前記機体１２に回転可能に支持された耕耘軸３１と、該耕耘軸３１に固定され、圃場を耕す耕耘爪３２と、該耕耘爪３２の上部を覆う耕耘カバー３３とを有し、前記耕耘爪３２は、前記変速伝動部を介して伝動される前記エンジン１３の出力により回転駆動される。
【００１９】
前記機体１２には、給油口を含む上部が一部露出するように前記燃料タンク１５を覆うタンクカバー２０と、前記変速レバー１７の操作経路を案内するガイド溝２１と前記エンジン１３の排気の減圧消音を行うマフラー（図示せず）が位置する側に排気用のスリット２２が形成された変速ガイドパネル２３と、前記マフラーを覆うマフラーカバー２５が配置されている。
【００２０】
相対向する前記タンクカバー２０の後端部２０ａと前記変速ガイドパネル２３の先端部２３ａは、それぞれ前記機体１２の上方及び後方から見て略々連続するように互に沿うように形成されている。また、互に対向する前記タンクカバー２０の側面の下端部２０ｂとマフラーカバー２５の上面２５ａは、側面視、互に沿うように形成すると共に、互に対向する前記変速ガイドパネル２３の側面先端部２３ｂと前記マフラ−カバー２５の後端部２５bも互に沿うように形成されている。
【００２１】
前記のように、タンクカバー２０の後端部２０ａと変速ガイドパネル２３の先端部２３ａ、タンクカバー２０の側面下端部２０ｂとマフラーカバー２５の上面２５ａ、変速ガイドパネル２３の側面先端部２３ｂとマフラーカバー２５の後端部２５ｂをそれぞれ互に沿うように構成することにより、エンジン１３、変速伝動部及びマフラー等の内部構造を確実に覆い、安全性を向上させることができる。また、各カバー２０、２３、２５が連続した一体感を演出し、優れたデザインを得ることができる。また、変速ガイドパネル２３にスリット２２を形成することにより、マフラーを通して排出される熱気を逃がし内部が過熱することを防止することができる。
【図面の簡単な説明】
【００２２】
【図１】歩行型移動農機の側面図である。
【図２】歩行型移動農機を斜め後方から見た斜視図である。
【符号の説明】
【００２３】
１  歩行型移動農機（耕耘機）
１０  走行部
１２  機体
１３  エンジン
１５  燃料タンク
１７  変速レバー
１８  ハンドル
２０  タンクカバー
２２  スリット
２３  変速ガイドパネル
２５  マフラーカバー
３０  耕耘部
【図１】
2007125971.tif 000003
【図２】
2007125971.tif 000004